(57)【特許請求の範囲】
【請求項１】
少なくとも２個の発光体に対応して外装パネルに少なくとも２個の表示窓を形成し、前記発光体からの光を対応する前記表示窓から射出する表示装置において、
入射端から入射した前記発光体の光を射出端を介して前記表示窓から射出する少なくとも２個のライトガイド部と、
前記２個のライトガイド部を連結する連結部と、
前記連結部の第１側面から、対向する第２側面に向かって伸びた第１の切欠きと、
前記第２側面から前記第１側面に向かって伸びた第２の切欠きと、
前記第１の切欠き及び前記第２の切欠きに挿入され、これらの切欠きを通過する光を遮断する遮光リブと、を備えたことを特徴とする表示装置。
【請求項２】
前記第１及び第２の切欠きは、前記第１側面と前記第２側面との間の距離の半分よりも長いことを特徴とする請求項１記載の表示装置。
【請求項３】
前記第１の切欠きと前記第２の切欠きとは平行であることを特徴とする請求項２記載の表示装置。
【請求項４】
前記遮光リブは、前記外装パネルに一体に形成されていることを特徴とする請求項１ないし３いずれか１つ記載の表示装置。
【請求項５】
前記射出端は、前記表示窓に挿入されることを特徴とする請求項１ないし４いずれか１つ記載の表示装置。
【請求項６】
前記射出端に取り付けられるライトキャップを備えたことを特徴とする請求項１ないし５いずれか１つ記載の表示装置。
【発明の詳細な説明】
【技術分野】
【０００１】
本発明は、電子機器に用いられ、光で動作状態等を表示する表示装置に関するものである。
【背景技術】
【０００２】
録音装置等の電子機器には、電子機器の動作状態等を表示するために、各種の表示装置が設けられている。この表示装置の１つとして、外装パネルに形成された表示窓に対向するように発光体を設け、表示窓からの発光の有無により、電子機器の動作状態等を表示するものが知られている。この表示装置では、発光体と表示窓とを複数設け、複数の状態等を表示するのが普通である。
【０００３】
表示窓を複数形成した場合には、１つの発光体からの光が、複数の表示窓から射出される、いわゆる光漏れが生じてしまう。このため、特許文献１では、発光体が実装された基板上に、発光体間を遮光するダミーチップを設けて、光漏れを防止している。また、特許文献２では、発光体が実装されたプリント基板を収納するケースに、発光体間を遮光する遮光リブを設けるとともに、遮光リブの下方のプリント基板の位置に透光スリットを設け、発光体から射出され、ケース内で反射した光が、プリント基板で乱反射することを防止することにより、光漏れを防止している。
【０００４】
しかしながら、特許文献１及び２では、発光体と表示窓とが離れているため、発光体からの光が表示窓に到達するまでに拡散してしまい、表示窓から射出される光量が少なくなるという問題があった。このため、例えば、特許文献３に記載されているように、複数の発光体と複数の表示窓との間に、ライトガイドを配置した表示装置が知られている。このライトガイドは、発光体からの光を表示装置に導くための複数のライトガイド部が一体に形成されている。この表示装置では、隣り合う表示窓間を遮光する遮光壁が外装パネルに設けられている。この遮光壁を、ライトガイドの孔を貫通して、発光体が実装されたプリント基板に差し込んでいる。遮光壁の幅を、ライトガイド部の幅よりも大きくすることにより、光漏れを防止している。
【特許文献１】特許第３５９７２３８号
【特許文献２】特開平１１−１５３９７０号公報
【特許文献３】特許第２５２４３７２号
【発明の開示】
【発明が解決しようとする課題】
【０００５】
特許文献３では、複数のライトガイド部を一体に形成しているため、製造・組立に便利であるが、遮光壁が貫通される孔の長さをライトガイド部の厚みよりも大きくすることが必要であるため、ライトガイドの設置スペースに制限がある場合には実施することができない。また、ライトガイドの遮光壁が貫通される孔の両端を囲む部分が張り出しているため、この部分を回り込んだ光は遮光されないから、光漏れを完全に防止することができなかった。
【０００６】
本発明は、上記課題を解決するためになされたものであり、光漏れを確実に防止することができる表示装置を提供することを目的とする。
【課題を解決するための手段】
【０００７】
上記目的を達成するために、本発明の表示装置は、少なくとも２個の発光体に対応して外装パネルに少なくとも２個の表示窓を形成し、前記発光体からの光を対応する前記表示窓から射出する表示装置において、入射端から入射した前記発光体の光を射出端を介して前記表示窓から射出する少なくとも２個のライトガイド部と、前記２個のライトガイド部を連結する連結部と、前記連結部の第１側面から、対向する第２側面に向かって伸びた第１の切欠きと、前記第２側面から前記第１側面に向かって伸びた第２の切欠きと、前記第１の切欠き及び前記第２の切欠きに挿入され、これらの切欠きを通過する光を遮断する遮光リブと、を備えたことを特徴とする。
【０００８】
また、前記第１及び第２の切欠きは、前記第１側面と前記第２側面との間の距離の半分よりも長いことが好ましい。さらに、前記第１の切欠きと前記第２の切欠きとは平行であることが好ましい。
【０００９】
また、前記遮光リブは、前記外装パネルに一体に形成されていることが好ましい。さらに、前記射出端は、前記表示窓に挿入されることが好ましい。また、前記射出端にライトキャップを取り付けることが好ましい。
【発明の効果】
【００１０】
本発明の表示装置によれば、少なくとも２個のライトガイド部を連結する連結部の対向する側面に第１，第２の切欠きを交互に形成し、これらの切欠きに挿入される２個の遮光リブにより、一方の切欠きの脇を通過する光を、他方の切欠き内の遮光リブで遮断するから、２個のライトガイド部間を完全に遮光することができる。これにより、光漏れを確実に防止することができる。
【発明を実施するための最良の形態】
【００１１】
図１及び図２に示すように、表示装置２は、外装パネル３と、基板４と、ライトガイドユニット５とから構成されている。外装パネル３は、光を透過しない不透明な樹脂で作られている。外装パネル３には、横長な上表示窓３ａ及び下表示窓３ｂ、取付ボス３ｃが形成されている。
【００１２】
基板４には、上表示窓３ａに対向する位置に上ＬＥＤチップ６が、下表示窓３ｂに対向する位置に下ＬＥＤチップ７が、それぞれ実装されている。各ＬＥＤチップ６，７は、基板４に設けられた駆動回路（図示せず）により、個別にオン／オフ制御され、電子機器の動作状態をそれぞれ示す。これらのＬＥＤチップ６，７としては、白色光を発光するもの、または３原色光の１つを発光するものが用いられる。
【００１３】
ライトガイドユニット５は、光を透過する透明樹脂で一体成形され、外装パネル３と各ＬＥＤチップ６，７との間に配されている。ライトガイドユニット５は、上ライトガイド部１１、下ライトガイド部１２、連結部１３を備える。この連結部１３は、上ライトガイド部１１と下ライトガイド部１２とを連結して、ユニット化することで、製造・組立を容易にする。
【００１４】
上ライトガイド部１１及び下ライトガイド部１２は、入射端１１ａ，１２ａ及び射出端１１ｂ，１２ｂをそれぞれ備えている。
【００１５】
入射端１１ａは上ＬＥＤチップ６に対面し、入射端１２ａは下ＬＥＤチップ７に対面する。各射出端１１ｂ，１２ｂは、外装パネル３の各表示窓３ａ，３ｂに嵌合するとともに、透明樹脂製のライトキャップ１５が取り付けられている。
【００１６】
連結部１３には、外装パネル３の取付ボス３ｃが挿入される取付孔１３ａと、この取付孔１３ａを囲むように形成された半円状の位置決め凸部１３ｂとが形成されている。
【００１７】
外装パネル３には、互いに逆方向に向けて突出した上遮光リブ３ｄ及び下遮光リブ３ｅが形成されている。ライトガイドユニット５の連結部１３には、互いに逆方向に向けて伸びた上切欠き１３ｃ及び下切欠き１３ｄが形成されている。上切欠き１３ｃは、連結部１３の右側面１３ｅから左側面１３ｆに向けて伸びて形成され、下切欠き１３ｄは、左側面１３ｆから右側面１３ｅに向けて伸びて形成されている。上切欠き１３ｃには、上遮光リブ３ｄが挿入され、下切欠き１３ｄには、下遮光リブ３ｅが挿入される。
【００１８】
各切欠き１３ｃ，１３ｄは、平行に形成され、同じ長さで形成されている。各切欠き１３ｃ，１３ｄは、上下方向から見たときに、その先端が重複するように、その長さは、連結部１３の幅（右側面１３ｅから左側面１３ｆまでの距離）の半分よりも長い。
【００１９】
図２に示すように、外装パネル３にライトガイドユニット５を取り付けるときには、連結部１３の取付孔１３ａに、外装パネル３の取付ボス３ｃを挿入する。外装パネル３にライトガイドユニット５を取り付けると、上ライトガイド部１１の射出端１１ｂは上表示窓３ａに挿入され、下ライトガイド部１２の射出端１２ｂは下表示窓３ｂに挿入される。これにより、ライトガイドユニット５は、上下方向及び左右方向が位置決めされる。
【００２０】
基板４を外装パネル３に取り付けると、位置決め凸部１３ｂが基板４に当接し、ライトガイドユニット５は、前後方向（図２における左右方向）が位置決めされる。
【００２１】
次に、表示装置２の作用について説明する。電子機器の動作状態に応じて、上ＬＥＤチップ６及び下ＬＥＤチップ７が独立して発光する。上ＬＥＤチップ６が発光すると、これから放射された光は、上ライトガイド部１１の入射端１１ａに入射する。入射端１１ａに入射した光は、射出端１１ｂに向かい、ライトキャップ１５を介して、上表示窓３ａから射出される。
【００２２】
また、図３に示すように、上ＬＥＤチップ６からの光は、連結部１３を通り、下ライトガイド部１２に向かう。連結部１３を通る光のうち、上切欠き１３ｃの部分に向かう光は、上遮光リブ３ｄにより遮光される。上遮光リブ３ｄと下遮光リブ３ｅとは、互いに逆方向に向けて突出し、さらには、上下方向から見たときに、その先端が重複するように形成されているため、左側面１３ｆと上切欠き１３ｃとの間を通過した光は、下遮光リブ３ｅにより遮光される。このため、上ＬＥＤチップ６の光が下ライトガイド部１２に導かれることはなく、下表示窓３ｂから射出されることはない。
【００２３】
同様にして、下ＬＥＤチップ７からの光は、下ライトガイド部１２の入射端１２ａに入射して、射出端１２ｂと連結部１３とに向かう。射出端１２ｂに向かった光は、ライトキャップ１５を介して、下表示窓３ｂから射出される。連結部１３を通る光は、上遮光リブ３ｄ及び下遮光リブ３ｅにより遮光され、上表示窓３ａから射出されることはない。
【００２４】
なお、上記実施形態では、各切欠き１３ｃ，１３ｄの長さを、連結部１３の幅の半分よりも長くしたが、２つの切欠き１３ｃ，１３ｄの長さを加算した値が、連結部１３の幅よりも長ければよい。
【００２５】
また、ＬＥＤチップと表示窓の個数は、３個以上でもよい。この場合には、ライトガイド部も３個以上設けられる。さらに、隣接する２つのライトガイド部の間に設けられる切欠きと遮光リブの個数は、３個以上でもよく、３個以上設けた場合にも、少なくとも２個の遮光リブを、互いに逆方向に向けて突出し、さらには、上下方向から見たときに、その先端が重複するように形成する。より好ましくは、対向する側面から交互に突出するように遮光リブを形成する。
【００２６】
さらに、ライトガイド５の連結部１３に形成する第１，第２の切欠きの向きは適宜変更可能であり、図１における前面（基板４に対面する面）から対向する後面に向けて伸びた第１の切欠きと、後面から前面に向けて伸びた第２の切欠きと、を設けてもよい。この場合には、第１の切欠きに挿入される遮光リブは、基板４に形成され、第２の切欠きに挿入される遮光リブは、外装パネル３に形成される。さらに、第１，第２の切欠き及び２個の遮光リブは、それぞれ上下方向から見たときに、その先端が重複するように形成する。
【００２７】
また、上記実施形態では、各遮光リブ３ｄ，３ｅを外装パネル３に一体に形成したが、外装パネル３とは別体とするとともに、ユニット化して切欠きに嵌め込んでもよい。さらに、各遮光リブ３ｄ，３ｅを基板４に設けてもよい。
【００２８】
さらに、各射出端１１ｂ，１２ｂを、直接、外装パネル３の各表示窓３ａ，３ｂから露出するように配置すれば、ライトキャップ１５を設けなくてもよい。また、各ＬＥＤチップ６，７が白色光を発光する場合に、カラーライトキャップを用いることで、カラーライトキャップの色と同じ色光にすることができる。
【図面の簡単な説明】
【００２９】
【図１】本発明の表示装置を示す分解斜視図である。
【図２】（Ａ）は表示装置の分解断面図、（Ｂ）は組立状態の断面図である。
【図３】基板を取り外した状態を示す表示装置の平面図である。
【符号の説明】
【００３０】
２  表示装置
３  外装パネル
３ａ  上表示窓
３ｂ  下表示窓
３ｃ  取付ボス
３ｄ  上遮光リブ
３ｅ  下遮光リブ
５  ライトガイドユニット
６  上ＬＥＤチップ（発光体）
７  下ＬＥＤチップ（発光体）
１１  上ライトガイド部
１１ａ，１２ａ  入射端
１１ｂ，１２ｂ  射出端
１２  下ライトガイド部
１３  連結部
１３ｃ  上切欠き（第１の切欠き）
１３ｄ  下切欠き（第２の切欠き）
１３ｅ  右側面（第１側面）
１３ｆ  左側面（第２側面）
【図１】
0005029834.tif 000002
【図２】
0005029834.tif 000003
【図３】
0005029834.tif 000004